(57)【要約】【課題】地震等の揺れが生じた際に物品の転倒を防止するとともに他の機能を発現することができる転倒防止装置を提供する。【解決手段】転倒防止装置は、ダンパ１０、ストロークセンサ４０、加速度センサ５０、及びカメラ６０を備えている。ダンパ１０は床面上に設置された家具１の上面１Ｕと天井Ｃとの間に取り付けられる。ストロークセンサ４０はダンパ１０の伸縮状態を検知し、加速度センサ５０は家具の揺れ状態を検知する。カメラ６０はストロークセンサ４０又は加速度センサ５０の検知信号の出力に基づいて室内の状況を取得する。【選択図】図１
2016063994.tif 000002
【特許請求の範囲】
【請求項１】
設置面上に設置された物品の上面と天井との間に取り付けられるダンパと、
前記ダンパの伸縮状態と前記物品の移動状態の少なくとも一方の状態を検知し、検知信号を出力する検知装置と、
前記検知装置の検知信号の出力に基づいて室内の状況を取得する室内情報取得装置と、
を備えていることを特徴とする転倒防止装置。
【請求項２】
設置面上に設置された物品の上面と天井との間に取り付けられるダンパと、
前記ダンパの伸縮状態と前記物品の移動状態の少なくとも一方の状態を検知し、検知信号を出力する検知装置と、
前記検知装置の検知信号の出力に基づいて室内器具の制御信号を出力する信号出力装置と、
を備えていることを特徴とする転倒防止装置。
【発明の詳細な説明】
【技術分野】
【０００１】
本発明は転倒防止装置に関するものである。
【背景技術】
【０００２】
特許文献１は従来の転倒防止装置を開示している。この転倒防止装置は、床面上に設置された家具の上面と天井との間に取り付けられる。この転倒防止装置は、スプリングを内蔵した支柱と、その両端の夫々に取り付けられたベース部とを備えている。各ベース部は、円盤状のベース部本体と、ベース部本体の一方の面の中心から垂直に延びた円柱状の軸部とを有している。各ベース部は、軸部が支柱の両端に挿入され、少なくとも一方が軸方向に進退自在に配置されている。スプリングは転倒防止装置の長さが伸長する方向に進退自在なベース部に弾性力を付与している。この転倒防止装置は、スプリングを僅かに収縮させた状態で、一方のベース部のベース部本体を家具の上面に当接させ、他方のベース部のベース部本体を天井に当接させる。このようにして、転倒防止装置は、支柱を鉛直方向に延ばした状態で家具の上面と天井との間に取り付けられ、地震の揺れ等による家具の転倒を防止することができる。
【先行技術文献】
【特許文献】
【０００３】
【特許文献１】実用新案登録第３０２８３３４号公報
【発明の概要】
【発明が解決しようとする課題】
【０００４】
しかし、特許文献１の転倒防止装置は、地震の揺れ等による家具の転倒を防止する機能を有するのみであり、他の機能を有していない。このため、この転倒防止装置を家具の上面と天井との間に取り付けても、この転倒防止装置が地震の揺れ等が生じた際の室内情報を取得したり、室内器具を制御したりする等の他の機能を発現することができない。
【０００５】
本発明は、上記従来の実情に鑑みてなされたものであって、地震等の揺れが生じた際に物品の転倒を防止するとともに他の機能を発現することができる転倒防止装置を提供することを解決すべき課題としている。
【課題を解決するための手段】
【０００６】
第１発明の転倒防止装置は、ダンパ、検知装置、室内情報取得装置を備えている。ダンパは設置面上に設置された物品の上面と天井との間に取り付けられる。検知装置はダンパの伸縮状態と物品の移動状態の少なくとも一方の状態を検知する。室内情報取得装置は検知装置の検知信号の出力に基づいて室内の状況を取得する。
【０００７】
この転倒防止装置は、地震の揺れ等によって物品が傾く力をダンパの減衰力によって減衰して物品の転倒を防止する。その際、ダンパが伸縮したり、物品が移動したりすると、この転倒防止装置はダンパの伸縮状態と物品の移動状態との少なくとも一方の状態から検知装置が地震の揺れ等を検知して検知信号を出力する。この転倒防止装置は、検知装置が検知信号を出力すると、カメラや人感センサ等の室内情報取得装置が室内の状況（室内設置品の転倒状況や人の有無等）を取得することができる。
【０００８】
第２発明の転倒防止装置は、ダンパ、検知装置、信号出力装置を備えている。ダンパは設置面上に設置された物品の上面と天井との間に取り付けられる。検知装置はダンパの伸縮状態と物品の移動状態の少なくとも一方の状態を検知する。信号出力装置は検知装置の検知信号の出力に基づいて室内器具の制御信号を出力する。
【０００９】
この転倒防止装置も、地震の揺れ等によって物品が傾く力をダンパの減衰力によって減衰して物品の転倒を防止する。その際、ダンパが伸縮したり、物品が移動したりすると、この転倒防止装置はダンパの伸縮状態と物品の移動状態との少なくとも一方の状態から検知装置が地震の揺れ等を検知して検知信号を出力する。この転倒防止装置は、検知装置が検知信号を出力すると、照明、テレビ等の電気器具、ガスコンロ等のガス器具等の室内器具の制御信号を信号出力装置が出力し、照明を点灯したり、テレビの電源をオンにしたり、ガスの元栓を閉じたりすることができる。
【００１０】
したがって、第１発明及び第２発明の転倒防止装置は地震等の揺れが生じた際に物品の転倒を防止するとともに他の機能を発現することができる。
【図面の簡単な説明】
【００１１】
【図１】実施形態１の転倒防止装置を家具の上面と天井との間に取り付けた状態を示す側面図である。
【発明を実施するための形態】
【００１２】
本発明の転倒防止装置を具体化した実施形態１について、図面を参照しつつ説明する。
【００１３】
＜実施形態１＞
実施形態１の転倒防止装置は、図１に示すように、床面（図示せず）から鉛直方向に延びる壁面Ｗに背面１Ｂを対向させて床面上に設置された家具１の上面１Ｕと天井Ｃとの間に少なくとも１個以上が取り付けられる。家具１は、直方体形状であり、正面１Ｆに図示しない扉や引き出し等を有し、内部に衣類や装身具等を収納することができる。家具１は、水平断面形状が左右方向（図１において奥行き方向）に長い長方形状である。この家具１は、転倒防止装置が取り付けられていない場合、地震の揺れ等によって、前方向（図１において右方向）に傾いて転倒するおそれがある。
【００１４】
転倒防止装置は、ダンパ１０、第１ベース部２０、第２ベース部３０、検知装置であるダンパ１０の伸縮状態を検知するストロークセンサ４０、検知装置である家具１の移動状態（揺れ）を検知する加速度センサ５０、室内情報取得装置であるカメラ６０、及び信号出力装置７０を備えている。
【００１５】
ダンパ１０は家具１の上面１Ｕと天井Ｃとの間に取り付けられる。ダンパ１０は、シリンダ１１、図示しないピストン、ロッド１２、及び図示しないロッドガイドを有している。シリンダ１１は有底筒状である。ロッドガイドはシリンダ１１の開口部を封鎖している。ピストンはシリンダ１１内に摺動自在に挿入されている。ロッド１２は、基端部がピストンに連結され、ロッドガイドを挿通して先端側がシリンダ１１の外部へ突出している。シリンダ１１は作動油及び圧縮ガスが封入されている。ダンパ１０は、長さが収縮してシリンダ１１に封入された圧縮ガスが圧縮されると、長さが伸長する方向に圧縮ガスの膨張力が付与される。
【００１６】
ダンパ１０は伸長動作時に発生する減衰力が収縮動作時に発生する減衰力よりも小さい圧効きダンパである。ここで、ダンパ１０の伸長動作とは、シリンダ１１からロッド１２の突出長さ及びダンパ１０の長さが長くなっていく動作を意味する。また、ダンパ１０の収縮動作とは、シリンダ１１からロッド１２の突出長さ及びダンパ１０の長さが短くなっていく動作を意味する。
【００１７】
ダンパ１０の減衰力が発生するメカニズムは、周知の構造であるため、図示を省略して説明する。シリンダ１１は内部がピストンによって、ロッド１２の基端部が収納されているロッド側圧力室と、反ロッド側圧力室とに仕切られている。ピストンは両圧力室間を連通させる絞り弁であるオリフィスが形成されている。オリフィスは、ダンパ１０の伸縮動作に伴うロッド側圧力室と反ロッド側圧力室との間の作動油の流れに抵抗を付与して減衰力を発生する減衰力発生部として機能する。また、ピストンは逆止弁を介して両圧力室間を連通する連通路が形成されている。逆止弁は、ロッド側圧力室から反ロッド側圧力室への作動油の流れを許容し、その逆の流れを阻止する。このため、ダンパ１０は、伸長動作時、ロッド側圧力室から反ロッド側圧力室への作動油の流路経路が、オリフィスと連通路の２経路になる。一方、ダンパ１０は、収縮動作時、反ロッド側圧力室からロッド側圧力室への作動油の流路経路がオリフィスのみとなる。このため、ダンパ１０は伸長動作時に発生する減衰力が収縮動作時に発生する減衰力よりも小さくなる。
【００１８】
第１ベース部２０は、家具１の上面１Ｕに面接触する第１当接面２１Ａを有する第１基板２１、及び第１基板２１の表面（第１当接面２１Ａの反対側の面）２１Ｂから突出して形成され、ダンパ１０のロッド１２の先端部を連結した第１連結部２２を有している。第１連結部２２は第１基板２１の中央部に形成されている。第１連結部２２は、平板状の第１連結部本体２２Ａと、その両面に直交した同一直線上に延びた円柱状の第１軸部２２Ｂとを有している。第１連結部本体２２Ａは先端部の外縁形状が半円形である。
【００１９】
ダンパ１０は、ロッド１２の先端部に第１連結部本体２２Ａを挟むように形成された一対の平板状のロッド側連結部１３を有している。各ロッド側連結部１３は先端部の外縁形状が半円形である。また、各ロッド側連結部１３はロッド１２の軸線に対して直交する同一直線上に貫通孔が設けられている。ダンパ１０は、一対のロッド側連結部１３のそれぞれに設けられた貫通孔に第１連結部本体２２Ａの両面から延びた各第１軸部２２Ｂを抜け止め状態で挿入し、第１ベース部２０に対して第１軸部２２Ｂを中心に回動自在に連結されている。
【００２０】
第２ベース部３０は、天井Ｃに面接触する第２当接面３１Ａを有する第２基板３１、及び第２基板３１の表面（第２当接面３１Ａの反対側の面）３１Ｂから突出して形成され、ダンパ１０のシリンダ１１の基端部を連結した第２連結部３２を有している。第２連結部３２は第２基板３１の中央部に形成されている。第２連結部３２は、平板状の第２連結部本体３２Ａと、その両面に直交した同一直線上に延びた円柱状の第２軸部３２Ｂを有している。第２連結部本体３２Ａは先端部の外縁形状が半円形である。第２ベース部３０は、天井Ｃに取り付けられた際、家具１の前方を照らすことができるＬＥＤ照明８０が組み込まれている。ＬＥＤ照明８０は第２ベース部３０に組み込まれた図示しないバッテリーによって点灯することができる。
【００２１】
ダンパ１０は、シリンダ１１の基端部に第２連結部本体３２Ａを挟むように形成された一対の平板状のシリンダ側連結部１４を有している。各シリンダ側連結部１４は先端部の外縁形状が半円形である。また、各シリンダ側連結部１４はシリンダ１１の軸線に対して直交する同一直線上に貫通孔が設けられている。ダンパ１０は、一対のシリンダ側連結部１４のそれぞれに設けられた貫通孔に第２連結部本体３２Ａの両面から延びた各第２軸部３２Ｂを抜け止め状態で挿入し、第２ベース部３０に対して第２軸部３２Ｂを中心に回動自在に連結されている。
【００２２】
ストロークセンサ４０はロッド１２が突出しているシリンダ１１の端部に取り付けられている。ストロークセンサ４０は中央部にロッド１２が軸方向に往復移動自在に挿入されている。ストロークセンサ４０はロッド１２の軸方向の往復移動を検知することができる。つまり、ダンパ１０の伸縮状態を検知することができる。ストロークセンサ４０は検知信号を無線送信する図示しない出力部を有している。ストロークセンサ４０は内蔵した図示しないバッテリーによって駆動される。
【００２３】
加速度センサ５０は第１ベース部２０に組み込まれている。地震の揺れ等によって家具１が傾く際、家具１の上面１Ｕが最も大きく揺れる。このため、家具１の上面１Ｕに取り付けられる第１ベース部２０に加速度センサ５０を組み込むことによって、地震の揺れ等による家具１の揺れ（移動状態）を最も敏感に検知することができる。加速度センサ５０は検知信号を無線送信する図示しない出力部を有している。加速度センサ５０は第１ベース部２０に組み込まれた図示しないバッテリーによって駆動される。
【００２４】
カメラ６０は第２ベース部３０に組み込まれている。カメラ６０のレンズは、第２ベース部３０の側面（図１において右側の側面）に取り付けられている。また、カメラ６０のレンズは、広角レンズであり、第２ベース部３０が天井Ｃに取り付けられた際、家具１の前方の室内を広く撮影することができる。カメラ６０は、ストロークセンサ４０の出力部から無線送信された検知信号、及び加速度センサ５０の出力部から無線送信された検知信号等を受信することができる図示しない受信部を有している。また、カメラ６０は撮影した動画を無線送信する図示しない出力部を有している。カメラ６０も第２ベース部３０に組み込まれた図示しないバッテリーによって駆動される。
【００２５】
このカメラ６０は、受信部が検知信号を受信すると、動画の撮影を開始し、その動画を出力部から無線送信する。無線送信された動画を受信して記憶する記憶装置を用意し、その記憶装置がインターネットに接続されていれば、他の場所にいる人が室内の状況を把握することができる。
【００２６】
信号出力装置７０は第２ベース部３０に組み込まれている。信号出力装置７０は、ストロークセンサ４０の出力部から無線送信された検知信号、及び加速度センサ５０の出力部から無線送信された検知信号等を受信することができる図示しない受信部を有している。信号出力装置７０も第２ベース部３０に組み込まれた図示しないバッテリーによって駆動される。
【００２７】
この信号出力装置７０は、受信部が検知信号を受信すると、第２ベース部３０に組み込まれたＬＥＤ照明８０が点灯するように点灯信号をＬＥＤ照明８０に送信するとともに、室内に取り付けられた図示しない照明、テレビ等の電気器具、ガスコンロ等のガス器具等の室内器具の制御信号を無線送信する。
【００２８】
このような構成を有する転倒防止装置を家具１の上面１Ｕと天井Ｃとの間に取り付ける。より詳しくは、第１ベース部２０を壁面Ｗ側の家具１の上面１Ｕに配置し、ダンパ１０が最も伸長した状態よりも僅かに収縮した状態で、第２ベース部３０を第１ベース部２０よりも家具１の正面１Ｆ側に配置する。つまり、ダンパ１０は傾斜した状態で取り付けられる。また、第２ベース部３０は、カメラ６０及びＬＥＤ照明８０が家具１の前方に向くように取り付けられる。
【００２９】
この際、転倒防止装置は、ダンパ１０のシリンダ１１に封入された圧縮ガスの膨張力によって、家具１の上面１Ｕと天井Ｃとの間に突っ張った状態になる。この転倒防止装置は、第１ベース部２０の第１当接面２１Ａが家具１の上面１Ｕに滑り止め状態で当接し、第２ベース部３０の第２当接面３１Ａが天井Ｃに滑り止め状態で当接しているため、第１ベース部２０を家具１の上面１Ｕに固定したり、第２ベース部３０を天井Ｃに固定したりする必要がない。
【００３０】
家具１の上面１Ｕと天井Ｃとの間に取り付けられた転倒防止装置は、地震の揺れ等によって家具１が前方向に傾くと、ダンパ１０が収縮して減衰力を発生し、家具１が傾く力を減衰させて家具１の転倒を防止することができる。この際、ストロークセンサ４０は、ロッド１２の軸方向の往復移動（ロッド１２の伸縮状態）を検知し、検知信号を無線送信する。また、加速度センサ５０は、家具１の上面１Ｕの揺れの加速度（家具１の移動状態）を検知し、検知信号を出力部から無線送信する。
【００３１】
ストロークセンサ４０又は加速度センサ５０から無線送信された検知信号を受信部が受信したカメラ６０は、動画の撮影を開始し、その動画を出力部から無線送信する。無線送信された動画を見ることによって、室内の状況を把握することができる。無線送信された動画を受信して記憶する記憶装置を用意し、その記憶装置がインターネットに接続されていれば、他の場所にいる人も室内の状況を把握することができる。
【００３２】
また、ストロークセンサ４０又は加速度センサ５０から無線送信された検知信号を受信部が受信した信号出力装置７０は、第２ベース部３０に組み込まれたＬＥＤ照明８０が点灯するように点灯信号をＬＥＤ照明８０に送信するとともに、室内に取り付けられた図示しない照明、テレビ等の電気器具、ガスコンロ等のガス器具等の室内器具の制御信号を無線送信する。これによって、照明を点灯させたり、テレビの電源をオンにしたり、ガスコンロの元栓を閉じたりすることができる。
【００３３】
このように実施形態１の転倒防止装置は、ダンパ１０、ダンパ１０の伸縮状態を検知するストロークセンサ４０、家具１の揺れ（移動状態）を検知する加速度センサ５０、室内情報取得装置であるカメラ６０、及び信号出力装置７０を備えている。ダンパ１０は床面上に設置された家具１の上面１Ｕと天井Ｃとの間に取り付けられる。カメラ６０はストロークセンサ４０又は加速度センサ５０の出力に基づいて室内の状況を取得する。また、信号出力装置７０はストロークセンサ４０又は加速度センサ５０の出力に基づいて、照明、テレビ等の電気器具、ガスコンロ等のガス器具等の室内器具の制御信号を出力する。
【００３４】
この転倒防止装置は、地震の揺れ等が生じて家具が傾いた際に生じる力をダンパの減衰力によって減衰して物品の転倒を防止する。その際、ダンパ１０が伸縮したり、家具１が揺れたりすると、この転倒防止装置は、ダンパ１０の伸縮状態からストロークセンサ４０が地震の揺れ等を検知して検知信号を出力し、家具１の揺れ（移動状態）から加速度センサ５０が地震の揺れ等を検知して検知信号を出力する。この転倒防止装置は、ストロークセンサ４０又は加速度センサ５０が検知信号を出力すると、カメラ６０が室内の状況（室内設置品の転倒状況や人の有無等）を取得することができる。また、この転倒防止装置は、ストロークセンサ４０又は加速度センサ５０が検知信号を出力すると、照明、テレビ等の電気器具、ガスコンロ等のガス器具等の室内器具の制御信号を信号出力装置７０が出力し、照明を点灯したり、テレビの電源をオンにしたり、ガスの元栓を閉じたりすることができる。
【００３５】
したがって、実施形態１の転倒防止装置は地震等の揺れが生じた際に物品の転倒を防止するとともに他の機能を発現することができる。
【００３６】
本発明は上記記述及び図面によって説明した実施形態１に限定されるものではなく、例えば次のような実施形態も本発明の技術的範囲に含まれる。
（１）実施形態１では、転倒防止装置にストロークセンサと加速度センサを別々に設けられていたが、転倒防止装置とストロークセンサとを一体にし、一か所に取り付けてもよい。
（２）実施形態１では、転倒防止装置がストロークセンサ及び加速度センサを備えていたが、どちらか一方のみを備えていてもばよい。
（３）実施形態１では、転倒防止装置がカメラを備えていたが、カメラの代わりに人感センサを備えていてもよい。この場合、人の有無のみを把握することができる。また、カメラ及び人感センサの両方を備えてもよい。
（４）実施形態１では、転倒防止装置がカメラ（室内情報取得装置）及び信号出力装置を備えていたが、どちらか一方のみを備えていてもよい。
（５）実施形態１では、転倒防止装置が圧効きダンパを備えていたが、伸長動作時に発生する減衰力が収縮動作時に発生する減衰力よりも大きい伸効きダンパや両効きダンパでもよい。
（６）実施形態１では、壁面に背面を対向させて床面上に設置された家具の上面と天井との間に転倒防止装置を取り付けたが、壁面から離れた位置で床面上に設置された家具の上面と天井との間に転倒防止装置を取り付けてもよい。
（７）実施形態１では、ストロークセンサ、加速度センサからの信号を無線送信したが、ストロークセンサ、加速度センサと、カメラ等の室内情報取得装置、ＬＥＤ照明等の室内器具とを信号線で連結し、この信号線を利用してストロークセンサ、加速度センサからの信号を送信してもよい。
（８）実施形態１では、カメラは動画を撮影したが、数秒ごとの静止画を撮影するものであってもよい。
【符号の説明】
【００３７】
１…家具（物品）、１Ｕ…（家具（物品）の）上面、Ｃ…天井、１０…ダンパ、４０…ストロークセンサ（検知装置）、５０…加速度センサ（検知装置）、６０…カメラ（室内情報取得装置）、７０…信号出力装置
【図１】
2016063994.tif 000003